(57)【要約】      （修正有）【課題】運動器具に予め設定された運動モードを変更することができることで、様々な実際の運動ニーズを満たせる運動器具の制御装置を提供する。【解決手段】運動モード記憶ユニット１１と、機能選択モジュール２１と、モード設定モジュール３１とを含む運動器具の制御装置１０であって、運動モード記憶ユニット１１は、運動器具が対応する動作を行うように制御可能な複数の運動モードが記憶されており、機能選択モジュール２１は、運動モード記憶ユニット１１に接続され、制御ユニット２２を有し、制御ユニット２２を介して運動モード記憶ユニット１１に記憶された運動モードの一部に対応する運動モードオプションが予め設定されており、モード設定モジュール３１は、機能選択モジュール２１の制御ユニット２２に接続され、起動スイッチ３２を有し、起動スイッチ３２によりモード設定モジュール３１に入ることにより、機能選択モジュール２１に予め設定された運動モードオプションを変更することができる。【選択図】図１
0003215954.tif 000002
【実用新案登録請求の範囲】
【請求項１】
運動モード記憶ユニットと、機能選択モジュールと、前記モード設定モジュールとを含む運動器具の制御装置であって、
前記運動モード記憶ユニットは、運動器具が対応する動作を行うように制御可能な複数の運動モードが記憶されており、
前記機能選択モジュールは、前記運動モード記憶ユニットに接続され、制御ユニットを有し、且つ、該機能選択モジュールは、該制御ユニットにより該運動モード記憶ユニットに記憶された運動モードの一部に対応する運動モードオプションが予め設定されており、
前記モード設定モジュールは、前記機能選択モジュールの制御ユニットに接続され、起動スイッチを有し、該起動スイッチにより該モード設定モジュールに入ることにより、前記機能選択モジュールに予め設定された運動モードオプションを変更することができる運動器具の制御装置。
【請求項２】
前記機能選択モジュールは、運動モードメニューをさらに含み、該機能選択モジュールは、前記制御ユニットにより該運動モード記憶ユニットに記憶された運動モードの一部を該運動モードメニューに提供し、該運動モードメニューに、該運動モード記憶ユニットに記憶された運動モードの一部に対応する運動モードオプションを表示させる請求項1に記載の運動器具の制御装置。
【請求項３】
前記起動スイッチは、前記モード設定モジュールをウェイクアップすることができる起動指令を送信する請求項1に記載の運動器具の制御装置。
【考案の詳細な説明】
【技術分野】
【０００１】
本考案は、運動器具に関し、特に、予め設定された運動モードを変更することができる運動器具の制御装置に関する。
【背景技術】
【０００２】
科学技術の進歩に伴い、技術的運動器具(例えばトレッドミル)を用いてエクササイズをする人が増えている。消費者の異なる運動ニーズに応じて、このような技術的運動器具には、通常、様々な運動モードが設定されることで、消費者の実際の運動ニーズを満たすように様々な運動モードを提供する。
【０００３】
しかし、このような技術的運動器具は全て、出回る前に、製造業者によって必要な運動モードを運動器具に統一的に設定してから、ディーラーに販売されるようにしている。また、ディーラーは、市販時に製造業者により設定された運動モードを任意に変更できないため、各地(又は各国)の気候、運動習慣が異なる場合に、ある地域の消費者が、設定された運動モードがその地域の運動需要を満たせないことが原因で、購買意欲が高くなくなり、ひいては、販売高が大幅に低減することがある。
【０００４】
上記の事情を鑑み、如何に上記の問題を改善するかは、本考案が解決しようとする主要な問題となっている。
【考案の概要】
【０００５】
本考案の主要な目的は、運動器具に予め設定された運動モードを変更することができることで、様々な実際の運動ニーズを満たせる運動器具の制御装置を提供することである。
【０００６】
上記の目的を達成するために、本考案は、運動器具の制御装置を提供する。該運動器具の制御装置は、運動モード記憶ユニットと、機能選択モジュールと、上記モード設定モジュールとを含み、
上記運動モード記憶ユニットは、運動器具が対応する動作を行うように制御可能な複数の運動モードが記憶されており、
上記機能選択モジュールは、上記運動モード記憶ユニットに接続され、制御ユニットを有し、該機能選択モジュールは、該制御ユニットにより該運動モード記憶ユニットに記憶された運動モードの一部に対応する運動モードオプションが予め設定されており、
上記モード設定モジュールは、上記機能選択モジュールの制御ユニットに接続され、起動スイッチを有し、該起動スイッチにより該モード設定モジュールに入ることにより、上記機能選択モジュールに予め設定された運動モードオプションを変更することができる。
【０００７】
好ましくは、上記機能選択モジュールは、運動モードメニューをさらに含み、該機能選択モジュールは、上記制御ユニットにより該運動モード記憶ユニットに記憶された運動モードの一部を該運動モードメニューに提供し、該運動モードメニューに、該運動モード記憶ユニットに記憶された運動モードの一部に対応する運動モードオプションを表示させる。
【０００８】
好ましくは、上記起動スイッチは、上記モード設定モジュールをウェイクアップすることができる起動指令を送信する。
【図面の簡単な説明】
【０００９】
本考案の上記目的及び利点は、以下の実施例の詳細な説明及び図面からよく理解されるべきである。
【図１】図1は、本考案の構造模式図である。
【図２】図2は、本考案の予め設定された運動モードオプションを変更するときの使用状態の模式図である。
【考案を実施するための形態】
【００１０】
図1、2に示すように、本考案が提供する運動器具の制御装置10は、運動器具に実装されるものであり、主に運動モード記憶ユニット11、機能選択モジュール21、及びモード設定モジュール31から構成される。
【００１１】
該運動モード記憶ユニット11は、メモリユニットから構成され、運動器具が対応する動作を行うように制御する複数の運動モードを記憶することができる。トレッドミルを例とすると、該運動モードは、トレッドミルの回転速度及び踏み台の傾斜度によって、それぞれトレッドミルが対応する調整動作をするように制御可能なセットの制御条件を設定することにより、通常のランニング、平坦地でのウォーキング、坂道でのランニング等の複数の運動モードをシミュレートすることができる。
【００１２】
該機能選択モジュール21は、該運動モード記憶ユニット11に接続され、制御ユニット22及び運動モードメニュー23を有し、且つ該制御ユニット22により、該運動モード記憶ユニット11に記憶された運動モードの一部に対応する運動モードオプション24が予め設定されており、予め設定された運動モードオプション24を該運動モードメニュー23に表示させる。該機能選択モジュール21は、以下のプログラムを実行する。即ち、該機能選択モジュール21は、該制御ユニット22により該運動モード記憶ユニット11に記憶された運動モードの一部を該運動モードメニュー23に提供し、該運動モードメニュー23を介して該運動モード記憶ユニット11に記憶された運動モードの一部に対応する運動モードオプション24を表示することができ、使用者が1つの運動モードオプション24をクリックすることで、運動器具は、選択された運動モードオプション24に従って運動モードの変更動作を実行する。
【００１３】
該モード設定モジュール31は、該機能選択モジュール21の制御ユニット22に接続され、起動スイッチ32を有する。使用者が該起動スイッチ32により該モード設定モジュール31に入り、該モード設定モジュール31により該制御ユニット22内の制御プログラムを修正したり、書いたりすることで該機能選択モジュール21の運動モードメニュー23に予め設定された運動モードオプション24を変更することができる。なお、実際の使用において、該起動スイッチ32は、該モード設定モジュール31をウェイクアップすることができる起動指令であり、使用者が起動スイッチ32により該モード設定モジュール31に入ることができるため、実際のボタンを押すことで該起動指令を直接送信でき、又は運動器具の制御パネルでのいくつかの制御ボタンを同時に押したり、連続的に数回押したり、順序に押したりすることを，プログラムにより該起動指令を送信する起動手段として設定することができる。上記の起動手段は、いずれも本考案の起動スイッチの同等の変更であるべきである。
【００１４】
上記結構による運動器具の制御装置は、実際の使用において、使用者が該起動スイッチ32を押すだけで、該モード設定モジュール31に入ることができ、該モード設定モジュール31が該機能選択モジュール21の制御ユニット22に接続されることで、使用者が該モード設定モジュール31により該制御ユニット22内の制御プログラムに対し直接的に修正・書き込み作業を行うことができ、実際の需要を満たすように該運動モードメニュー23における運動モードオプション24を変更することができる。
【００１５】
従って、本考案が提供する制御装置を運動器具に使用することにより、各地（又は各国）のディーラーはその地域の気候、運動習慣に応じて該運動器具に予め設定された運動モードオプション24を新たに設定できることで、運動器具が販売時においても新たに設定されることができ、製造業者に戻される必要がなく、異なる消費者の需要に応じてカスタマイズに設定することができ、それにより、消費者の購買意欲を効果的に高め、販売量を大幅に増加できるため、実用性を有する。
【符号の説明】
【００１６】
制御装置10
運動モード記憶ユニット11            機能選択モジュール21
制御ユニット22                      運動モードメニュー23
運動モードオプション24              モード設定モジュール31
起動スイッチ32
【図１】
0003215954.tif 000003
【図２】
0003215954.tif 000004
【手続補正書】
【提出日】平成30年2月22日(2018.2.22)
【手続補正１】
【補正対象書類名】実用新案登録請求の範囲
【補正対象項目名】全文
【補正方法】変更
【補正の内容】
【実用新案登録請求の範囲】
【請求項１】
運動モード記憶ユニットと、機能選択モジュールと、モード設定モジュールとを含む運動器具の制御装置であって、
前記運動モード記憶ユニットは、運動器具が対応する動作を行うように制御可能な複数の運動モードが記憶されており、
前記機能選択モジュールは、前記運動モード記憶ユニットに接続され、制御ユニットを有し、且つ、該機能選択モジュールは、該制御ユニットにより該運動モード記憶ユニットに記憶された運動モードの一部に対応する運動モードオプションが予め設定されており、
前記モード設定モジュールは、前記機能選択モジュールの制御ユニットに接続され、起動スイッチを有し、該起動スイッチにより該モード設定モジュールに入ることにより、前記機能選択モジュールに予め設定された運動モードオプションを変更することができる運動器具の制御装置。
【請求項２】
前記機能選択モジュールは、運動モードメニューをさらに含み、該機能選択モジュールは、前記制御ユニットにより該運動モード記憶ユニットに記憶された運動モードの一部を該運動モードメニューに提供し、該運動モードメニューに、該運動モード記憶ユニットに記憶された運動モードの一部に対応する運動モードオプションを表示させる請求項1に記載の運動器具の制御装置。
【請求項３】
前記起動スイッチは、前記モード設定モジュールをウェイクアップすることができる起動指令を送信する請求項1に記載の運動器具の制御装置。